(57)【要約】【課題】光源から発せられた光が他の分割領域に漏れることに起因した表示色の変化を抑制することができる技術を提供する。【解決手段】本発明の表示装置は、複数の分割領域に対応する複数の光源を有する発光手段と、入力画像データに基づく透過率で発光手段からの光を透過することにより、画面に画像を表示する表示手段と、入力画像データに基づいて各光源の発光輝度を個別に決定する決定手段と、光源からの光の色の面内方向における変化を示す色変化情報を記憶する第１記憶手段と、光源からの光の輝度の面内方向における変化を示す輝度変化情報を記憶する第２記憶手段と、決定手段で決定された各光源の発光輝度、色変化情報、及び、輝度変化情報、に基づいて、画像データの各画素の色と、各光源の発光色と、の少なくとも一方を補正する色補正処理を行う色補正手段と、を有する。【選択図】図１
2016133640.tif 000002
【特許請求の範囲】
【請求項１】
画面の領域を構成する複数の分割領域に対応する複数の光源を有する発光手段と、
入力画像データに基づく透過率で前記発光手段からの光を透過することにより、画面に画像を表示する表示手段と、
前記入力画像データに基づいて、各光源の発光輝度を個別に決定する決定手段と、
前記光源からの光の色の、前記画面の面内方向における変化を示す色変化情報を記憶する第１記憶手段と、
前記光源からの光の輝度の前記面内方向における変化を示す輝度変化情報を記憶する第２記憶手段と、
前記分割領域毎に、その分割領域である対象領域以外の分割領域に対応する光源からの光が前記対象領域に漏れることに起因した前記対象領域の表示色の変化が低減するように、前記決定手段で決定された各光源の発光輝度、前記色変化情報、及び、前記輝度変化情報、に基づいて、前記対象領域における画像データの各画素の色と、前記対象領域に対応する光源の発光色と、の少なくとも一方を補正する色補正処理を行う色補正手段と、
を有することを特徴とする表示装置。
【請求項２】
前記決定手段は、前記入力画像データと前記輝度変化情報に基づいて、前記光源からの光が他の分割領域に漏れることに起因した表示輝度の変化が低減するように、各光源の発光輝度を個別に決定する
ことを特徴とする請求項１に記載の表示装置。
【請求項３】
前記光源からの光が他の分割領域に漏れることに起因した表示輝度の変化が低減するように、前記決定手段で決定された各光源の発光輝度と、前記輝度変化情報と、に基づいて、画像データの各画素の輝度を補正する輝度補正手段、をさらに有する
ことを特徴とする請求項１または２に記載の表示装置。
【請求項４】
前記色変化情報は、前記光源からの光のＸＹＺ三刺激値におけるＸ値の前記面内方向における変化を示す第１色変化情報と、前記光源からの光のＸＹＺ三刺激値におけるＺ値の前記面内方向における変化を示す第２色変化情報と、の少なくとも一方を含む
ことを特徴とする請求項１〜３のいずれか１項に記載の表示装置。
【請求項５】
前記第１色変化情報は、最大値が１に規格化されたＸ値である規格化Ｘ値の前記面内方向における変化を示す情報であり、
前記色補正処理では、
前記光源毎に、その光源から発せられた光の前記対象領域での規格化Ｘ値に当該光源の前記決定手段で決定された発光輝度を乗算することにより、重み付けＸ値が算出され、
各光源の重み付けＸ値の総和である第１合計値が算出され、
前記輝度変化情報に基づいて算出された発光輝度であり、且つ、各光源を前記決定手段で決定された発光輝度で発光させた状態での前記対象領域における前記発光手段の発光輝度である、対応輝度が取得され、
ＸＹＺ三刺激値におけるＹ値の基準値に対するＸ値の基準値の割合を、前記対応輝度に対する前記第１合計値の割合で除算することにより、第１補正係数が算出され、
前記対象領域の表示色のＸ値が当該Ｘ値に第１補正係数を乗算した値に補正されるように、前記対象領域における画像データの各画素の色と、前記対象領域に対応する光源の発光色と、の少なくとも一方が補正される
ことを特徴とする請求項４に記載の表示装置。
【請求項６】
前記第２色変化情報は、最大値が１に規格化されたＺ値である規格化Ｚ値の前記面内方向における変化を示す情報であり、
前記色補正処理では、
前記光源毎に、その光源から発せられた光の前記対象領域での規格化Ｚ値に当該光源の前記決定手段で決定された発光輝度を乗算することにより、重み付けＺ値が算出され、
各光源の重み付けＺ値の総和である第２合計値が算出され、
前記輝度変化情報に基づいて算出された発光輝度であり、且つ、各光源を前記決定手段で決定された発光輝度で発光させた状態での前記対象領域における前記発光手段の発光輝度である、対応輝度が取得され、
ＸＹＺ三刺激値におけるＹ値の基準値に対するＺ値の基準値の割合を、前記対応輝度に対する前記第２合計値の割合で除算することにより、第２補正係数が算出され、
前記対象領域の表示色のＺ値が当該Ｚ値に第２補正係数を乗算した値に補正されるように、前記対象領域における画像データの各画素の色と、前記対象領域に対応する光源の発光色と、の少なくとも一方が補正される
ことを特徴とする請求項４または５に記載の表示装置。
【請求項７】
前記色変化情報は、
前記光源からの光のｘｙ色度座標値の前記面内方向における変化、
前記光源からの光のｕｖ色度座標値の前記面内方向における変化、
前記光源からの光のｕ’ｖ’色度座標値の前記面内方向における変化、または、
前記光源からの光のａ＊ｂ＊色度座標値の前記面内方向における変化、
を示す
ことを特徴とする請求項１〜３のいずれか１項に記載の表示装置。
【請求項８】
前記光源の発光色は白色であり、
前記色補正処理は、前記対象領域における画像データの各画素の色を補正する処理である
ことを特徴とする請求項１〜７のいずれか１項に記載の表示装置。
【請求項９】
前記光源は、発光色が互いに異なる複数の有色発光素子を有し、
前記色補正処理は、前記対象領域に対応する光源が有する各有色発光素子の発光輝度を補正することにより、前記対象領域に対応する光源の発光色を補正する処理、を含む
ことを特徴とする請求項１〜７のいずれか１項に記載の表示装置。
【請求項１０】
前記輝度変化情報は、前記光源からの光のＸＹＺ三刺激値におけるＹ値の前記面内方向における変化を示す
ことを特徴とする請求項１〜９のいずれか１項に記載の表示装置。
【請求項１１】
画面の領域を構成する複数の分割領域に対応する複数の光源を有する発光手段と、
入力画像データに基づく透過率で前記発光手段からの光を透過することにより、画面に画像を表示する表示手段と、
前記光源からの光の色の、前記画面の面内方向における変化を示す色変化情報を記憶する第１記憶手段と、
前記光源からの光の輝度の前記面内方向における変化を示す輝度変化情報を記憶する第２記憶手段と、
を有する表示装置の制御方法であって、
前記入力画像データに基づいて、各光源の発光輝度を個別に決定する決定ステップと、
前記分割領域毎に、その分割領域である対象領域以外の分割領域に対応する光源からの光が前記対象領域に漏れることに起因した前記対象領域の表示色の変化が低減するように、前記決定ステップで決定された各光源の発光輝度、前記色変化情報、及び、前記輝度変化情報、に基づいて、前記対象領域における画像データの各画素の色と、前記対象領域に対応する光源の発光色と、の少なくとも一方を補正する色補正処理を行う色補正ステップ
と、
を有することを特徴とする表示装置の制御方法。
【請求項１２】
前記決定ステップでは、前記入力画像データと前記輝度変化情報に基づいて、前記光源からの光が他の分割領域に漏れることに起因した表示輝度の変化が低減するように、各光源の発光輝度が個別に決定される
ことを特徴とする請求項１１に記載の表示装置の制御方法。
【請求項１３】
前記光源からの光が他の分割領域に漏れることに起因した表示輝度の変化が低減するように、前記決定ステップで決定された各光源の発光輝度と、前記輝度変化情報と、に基づいて、画像データの各画素の輝度を補正する輝度補正ステップ、をさらに有する
ことを特徴とする請求項１１または１２に記載の表示装置の制御方法。
【請求項１４】
前記色変化情報は、前記光源からの光のＸＹＺ三刺激値におけるＸ値の前記面内方向における変化を示す第１色変化情報と、前記光源からの光のＸＹＺ三刺激値におけるＺ値の前記面内方向における変化を示す第２色変化情報と、の少なくとも一方を含む
ことを特徴とする請求項１１〜１３のいずれか１項に記載の表示装置の制御方法。
【請求項１５】
前記第１色変化情報は、最大値が１に規格化されたＸ値である規格化Ｘ値の前記面内方向における変化を示す情報であり、
前記色補正処理では、
前記光源毎に、その光源から発せられた光の前記対象領域での規格化Ｘ値に当該光源の前記決定ステップで決定された発光輝度を乗算することにより、重み付けＸ値が算出され、
各光源の重み付けＸ値の総和である第１合計値が算出され、
前記輝度変化情報に基づいて算出された発光輝度であり、且つ、各光源を前記決定ステップで決定された発光輝度で発光させた状態での前記対象領域における前記発光手段の発光輝度である、対応輝度が取得され、
ＸＹＺ三刺激値におけるＹ値の基準値に対するＸ値の基準値の割合を、前記対応輝度に対する前記第１合計値の割合で除算することにより、第１補正係数が算出され、
前記対象領域の表示色のＸ値が当該Ｘ値に第１補正係数を乗算した値に補正されるように、前記対象領域における画像データの各画素の色と、前記対象領域に対応する光源の発光色と、の少なくとも一方が補正される
ことを特徴とする請求項１４に記載の表示装置の制御方法。
【請求項１６】
前記第２色変化情報は、最大値が１に規格化されたＺ値である規格化Ｚ値の前記面内方向における変化を示す情報であり、
前記色補正処理では、
前記光源毎に、その光源から発せられた光の前記対象領域での規格化Ｚ値に当該光源の前記決定ステップで決定された発光輝度を乗算することにより、重み付けＺ値が算出され、
各光源の重み付けＺ値の総和である第２合計値が算出され、
前記輝度変化情報に基づいて算出された発光輝度であり、且つ、各光源を前記決定ステップで決定された発光輝度で発光させた状態での前記対象領域における前記発光手段の発光輝度である、対応輝度が取得され、
ＸＹＺ三刺激値におけるＹ値の基準値に対するＺ値の基準値の割合を、前記対応輝度に対する前記第２合計値の割合で除算することにより、第２補正係数が算出され、
前記対象領域の表示色のＺ値が当該Ｚ値に第２補正係数を乗算した値に補正されるように、前記対象領域における画像データの各画素の色と、前記対象領域に対応する光源の発光色と、の少なくとも一方が補正される
ことを特徴とする請求項１４または１５に記載の表示装置の制御方法。
【請求項１７】
前記色変化情報は、
前記光源からの光のｘｙ色度座標値の前記面内方向における変化、
前記光源からの光のｕｖ色度座標値の前記面内方向における変化、
前記光源からの光のｕ’ｖ’色度座標値の前記面内方向における変化、または、
前記光源からの光のａ＊ｂ＊色度座標値の前記面内方向における変化、
を示す
ことを特徴とする請求項１１〜１３のいずれか１項に記載の表示装置の制御方法。
【請求項１８】
前記光源の発光色は白色であり、
前記色補正処理は、前記対象領域における画像データの各画素の色を補正する処理である
ことを特徴とする請求項１１〜１７のいずれか１項に記載の表示装置の制御方法。
【請求項１９】
前記光源は、発光色が互いに異なる複数の有色発光素子を有し、
前記色補正処理は、前記対象領域に対応する光源が有する各有色発光素子の発光輝度を補正することにより、前記対象領域に対応する光源の発光色を補正する処理、を含む
ことを特徴とする請求項１１〜１７のいずれか１項に記載の表示装置の制御方法。
【請求項２０】
前記輝度変化情報は、前記光源からの光のＸＹＺ三刺激値におけるＹ値の前記面内方向における変化を示す
ことを特徴とする請求項１１〜１９のいずれか１項に記載の表示装置の制御方法。
【請求項２１】
請求項１１〜２０のいずれか１項に記載の表示装置の制御方法の各ステップをコンピュータに実行させることを特徴とするプログラム。
【発明の詳細な説明】
【技術分野】
【０００１】
本発明は、表示装置及びその制御方法に関する。
【背景技術】
【０００２】
液晶表示装置に関する従来技術として、画面の領域を構成する複数の分割領域に対応する複数の光源を有するバックライトを用い、入力画像データの輝度に応じて複数の光源の発光輝度を個別に制御するローカルディング制御がある（特許文献１）。ローカルディミング制御は、赤色ＬＥＤ、緑色ＬＥＤ、及び、青色ＬＥＤの３つの有色ＬＥＤを有する光源を用いたバックライトでも行われている（特許文献２）。
【０００３】
ここで、光源の位置から遠ざかるにつれて当該光源から発せられた光（光源光）の色が変化することが知られている。例えば、液晶表示装置では、バックライトと液晶パネルの間に、バックライトから発せられた光に光学的な変化をもたらす光学部材が設けられている。光学部材は、反射シート、拡散板、拡散シート、ＢＥＦ（Ｂｒｉｇｈｔｎｅｓｓ  Ｅｎｈａｎｃｅｍｅｎｔ  Ｆｉｌｍ）、ＤＢＥＦ（Ｄｕａｌ  Ｂｒｉｇｈｔｎｅｓｓ  Ｅｎｈａｎｃｅｍｅｎｔ  Ｆｉｌｍ）、等である。そして、光学部材によって光源光に光学的な変化がもたらされることにより、光源光の分光特性が変化し、光源光の色が変化する。
また、光源光が他の分割領域へ漏れることも知られている。
【０００４】
光源の位置から遠ざかるにつれて当該光源から発せられた光（光源光）の色が変化するため、他の分割領域に漏れた後の光源光の色は、漏れる前の色と異なる。そのため、表示色（画面の色）は、光源光が他の分割領域に漏れることによって変化する。このような表示色の変化は、ローカルディミング制御を行った場合に顕著に現れる。
【０００５】
しかしながら、特許文献１，２に開示の技術では、光源光の輝度しか考慮されていないため、上述した表示色の変化を抑制することはできない。
【先行技術文献】
【特許文献】
【０００６】
【特許文献１】特開２００９−２７１３４９号公報
【特許文献２】特開２０１２−９３７８６号公報
【発明の概要】
【発明が解決しようとする課題】
【０００７】
本発明は、光源から発せられた光が他の分割領域に漏れることに起因した表示色の変化を抑制することができる技術を提供することを目的とする。
【課題を解決するための手段】
【０００８】
本発明の第１の態様は、
画面の領域を構成する複数の分割領域に対応する複数の光源を有する発光手段と、
入力画像データに基づく透過率で前記発光手段からの光を透過することにより、画面に画像を表示する表示手段と、
前記入力画像データに基づいて、各光源の発光輝度を個別に決定する決定手段と、
前記光源からの光の色の、前記画面の面内方向における変化を示す色変化情報を記憶する第１記憶手段と、
前記光源からの光の輝度の前記面内方向における変化を示す輝度変化情報を記憶する第２記憶手段と、
前記分割領域毎に、その分割領域である対象領域以外の分割領域に対応する光源からの光が前記対象領域に漏れることに起因した前記対象領域の表示色の変化が低減するように、前記決定手段で決定された各光源の発光輝度、前記色変化情報、及び、前記輝度変化情報、に基づいて、前記対象領域における画像データの各画素の色と、前記対象領域に対応する光源の発光色と、の少なくとも一方を補正する色補正処理を行う色補正手段と、
を有することを特徴とする表示装置である。
【０００９】
本発明の第２の態様は、
画面の領域を構成する複数の分割領域に対応する複数の光源を有する発光手段と、
入力画像データに基づく透過率で前記発光手段からの光を透過することにより、画面に画像を表示する表示手段と、
前記光源からの光の色の、前記画面の面内方向における変化を示す色変化情報を記憶する第１記憶手段と、
前記光源からの光の輝度の前記面内方向における変化を示す輝度変化情報を記憶する第２記憶手段と、
を有する表示装置の制御方法であって、
前記入力画像データに基づいて、各光源の発光輝度を個別に決定する決定ステップと、
前記分割領域毎に、その分割領域である対象領域以外の分割領域に対応する光源からの光が前記対象領域に漏れることに起因した前記対象領域の表示色の変化が低減するように、前記決定ステップで決定された各光源の発光輝度、前記色変化情報、及び、前記輝度変化情報、に基づいて、前記対象領域における画像データの各画素の色と、前記対象領域に対応する光源の発光色と、の少なくとも一方を補正する色補正処理を行う色補正ステップと、
を有することを特徴とする表示装置の制御方法である。
【００１０】
本発明の第３の態様は、上述した表示装置の制御方法の各ステップをコンピュータに実行させることを特徴とするプログラムである。
【発明の効果】
【００１１】
本発明によれば、光源から発せられた光が他の分割領域に漏れることに起因した表示色の変化を抑制することができる。
【図面の簡単な説明】
【００１２】
【図１】実施例１に係る表示装置の構成の一例を示すブロック図
【図２】従来技術の課題を説明するための模式図
【図３】実施例１に係る複数の分割領域の一例を示す模式図
【図４】実施例１に係る輝度変化情報の一例を示す図
【図５】実施例１に係る対応輝度算出処理の一例を示すフローチャート
【図６】実施例１に係る第１色変化情報の一例を示す図
【図７】実施例１に係る対応色算出処理の一例を示すフローチャート
【図８】実施例２に係る表示装置の構成の一例を示すブロック図
【発明を実施するための形態】
【００１３】
＜実施例１＞
以下に、本発明の実施例１に係る表示装置及びその制御方法について説明する。なお、本実施例では、表示装置が液晶表示装置である場合の例を説明するが、本実施例に係る表示装置は液晶表示装置に限らない。本実施例に係る表示装置は、発光部と、入力画像データ（表示装置に入力された画像データ）に基づく透過率で発光部からの光を透過することにより画面に画像を表示する表示パネルと、を有する装置であれば、どのような装置であってもよい。例えば、本実施例に係る表示装置は、液晶素子の代わりにＭＥＭＳ（Ｍｉｃ
ｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイ装置であってもよい。
【００１４】
まず、従来技術の課題について、図２（ａ）〜２（ｃ）を用いて説明する。
光源の位置から遠ざかるにつれて当該光源から発せられた光（光源光）の色が変化することが知られている。例えば、一般的に、バックライトが有する拡散シートでの光源光の透過と反射、バックライトが有する反射シートでの光源光の反射、等が繰り返されながら、バックライトが有する光源から発せられた光（光源光）が液晶パネルに導かれる。また、一般的に、上記透過や反射によって、光源光の分光特性が変化し、光源光の色が変化する。バックライトの光源は、１つ以上の発光素子を有する。発光素子としては、発光ダイオード（ＬＥＤ）、有機ＥＬ素子、冷陰極管素子、等が使用される。拡散シートの代わりに、ある程度の厚みを有する拡散板が使用されることもある。反射シートの代わりに、ある程度の厚みを有する反射板が使用されることもある。
【００１５】
図２（ａ）は、白色ＬＥＤ２０から発せられた光源光の拡散の一例を示す模式図である。白色ＬＥＤ２０は、白色の光を発するＬＥＤである。光源光２３は、白色ＬＥＤ２０から発せられて、拡散シート２１を透過した光である。光源光２４は、白色ＬＥＤから発せられ、拡散シート２１で反射され、反射シート２２で再度反射され、拡散シート２１を透過した光である。
【００１６】
図２（ｂ）は、拡散シート２１や反射シート２２で反射することに起因した、光源光の分光特性の変化の一例を示す模式図である。図２（ｂ）に示すように、反射後の分光特性２６では、反射前の分光特性２５に比べ、短波長側の強度が低いことがわかる。このように、反射が行われるたび、短波長側の強度が低下し、光源光の色が赤色に近づく。光源光２３が、拡散シート２１と反射シート２２での反射が行われていない光であるのに対し、光源光２４は、拡散シート２１と反射シート２２での反射が行われた光である。そのため、光源光２４の色は、光源光２３の色に比べ赤色に近い。
【００１７】
図２（ｃ）は、白色ＬＥＤ２０から発せられた光源光のＸＹＺ三刺激値の変化の一例を示す模式図である。強度変化２７はＸＹＺ三刺激値におけるＸ値の変化であり、強度変化２８はＸＹＺ三刺激値におけるＹ値の変化であり、強度変化２９はＸＹＺ三刺激値におけるＺ値の変化である。図２（ｃ）に示すように、白色ＬＥＤからの距離の増加に従って、Ｘ値とＹ値とＺ値の間の比率（強度比）が変化する。このような強度比の変化は、白色ＬＥＤからの距離の増加に従って、光源光の色が変化することを意味する。
【００１８】
上述したような光源光の色の変化は、表示色（画面の色）の変化をもたらす。そして、このような表示色の変化は、ローカルディミング制御を行った場合に顕著に現れる。ローカルディミング制御は、複数の光源の発光輝度を個別に制御する光源制御である。
しかしながら、従来技術では、輝度値（Ｙ値）の強度変化２８しか考慮されていなかった。そのため、従来技術では、上述した表示色の変化を抑制することができなかった。
本実施例では、上述したような光源光の色の変化を考慮する。それにより、上述した表示色の変化を抑制することができる。
【００１９】
図１は、本実施例に係る表示装置の構成の一例を示すブロック図である。図１に示すように、本実施例に係る表示装置は、液晶パネル１０１、バックライト１０２、ＢＬ制御値決定部１０３、輝度変化情報記憶部１０４、ＢＬ輝度計算部１０５、輝度補正値計算部１０６、色変化情報記憶部１０７、ＢＬ色計算部１０８、色補正値計算部１０９、輝度補正部１１０、色補正部１１１、等を有する。
【００２０】
液晶パネル１０１は、入力画像データに基づく透過率でバックライト１０２からの光を
透過することにより、画面に画像を表示する表示パネルである。本実施例では、液晶パネル１０１は、画像データの画素毎に、赤色の表示を行うＲ素子、緑色の表示を行うＧ素子、及び、青色の表示を行うＢ素子の３つの液晶素子を有する。そして、各液晶素子の透過率が、色補正部１１１から出力された画像データに応じた値に制御される。色補正部１１１から出力された画像データに応じた透過率でバックライト１０２からの光が各液晶素子を透過することにより、画面に画像が表示される。
【００２１】
バックライト１０２は、液晶パネル１０１の背面側に設けられた発光部である。バックライト１０２は、画面の領域を構成する複数の分割領域に対応する複数の光源を有する。複数の光源は個別に駆動（制御）することができる。本実施例では、光源の発光色は白色である。光源は、１つ以上の発光素子を有する。発光素子としては、発光ダイオード（ＬＥＤ）、有機ＥＬ素子、冷陰極管素子、等が使用される。本実施例では、各光源がＢＬ制御値決定部１０３から出力されたＢＬ制御値ｂｄに応じて駆動される。ＢＬ制御値ｂｄは、光源の発光輝度を表す。
【００２２】
図３は、複数の分割領域の一例を示す模式図である。図３の例では、画面の領域が４行５列の２０個の分割領域で構成されている。符号２０１は１行１列目の分割領域を示し、符号２１５は４行５列目の分割領域を示す。本実施例では、ｍ行ｎ列目の分割領域に対応する光源のＢＬ制御値ｂｄを、「ＢＬ制御値ｂｄｍｎ」と記載する。
なお、水平方向における分割領域の数は、５つより多くても少なくてもよい。水平方向における分割領域の数は１つであってもよい。垂直方向における分割領域の数は、４つより多くても少なくてもよい。垂直方向における分割領域の数は１つであってもよい。
【００２３】
（ＢＬ制御値決定部）
ＢＬ制御値決定部１０３は、入力画像データに基づいて、各光源の発光輝度を個別に決定する。本実施例では、ＢＬ制御値決定部１０３は、分割領域毎に、その分割領域である第１対象領域における入力画像データの輝度に基づいて、第１対象領域に対応する光源のＢＬ制御値ｂｄを算出する。そして、ＢＬ制御値決定部１０３は、各光源のＢＬ制御値ｂｄを、バックライト１０２、ＢＬ輝度計算部１０５、及び、ＢＬ色計算部１０８に出力する。
【００２４】
ＢＬ制御値ｂｄの算出方法について説明する。
（（ステップ１））
まず、ＢＬ制御値決定部１０３は、入力画像データの各画素値を輝度値に変換する。例えば、入力画像データの画素値がＲＧＢ値（Ｒ値、Ｇ値、及び、Ｂ値の組み合わせ）である場合には、以下の式１を用いて輝度値Ｙが算出される。Ｒ値（式１の「Ｒ」）は赤色に対応する階調値である。Ｇ値（式１の「Ｇ」）は緑色に対応する階調値である。そして、Ｂ値（式１の「Ｂ」）は青色に対応する階調値である。式１において、α、β、及び、γは、ＲＧＢ値をＹ値に変換するための所定の係数（輝度変換係数）である。
Ｙ＝α×Ｒ＋β×Ｇ＋γ×Ｂ  ・・・（式１）
【００２５】
（（ステップ２））
次に、ＢＬ制御値決定部１０３は、分割領域毎に、その分割領域における入力画像データの輝度（明るさ）を算出する。具体的には、ＢＬ制御値決定部１０３は、第１対象領域における各画素の輝度値Ｙ（ステップ１で算出された輝度値Ｙ）の平均値ＹＡＧを、第１対象領域における入力画像データの輝度として算出する。本実施例では、ｍ行ｎ列目の分割領域における入力画像データの輝度ＹＡＧを、「輝度ＹＡＧｍｎ」と記載する。ここで、第１対象領域に対して算出された輝度は、第１対象領域に対応する光源の発光輝度とし
て設定される。
【００２６】
（（ステップ３））
そして、ＢＬ制御値決定部１０３は、分割領域毎に、その分割領域の輝度ＹＡＧ（ステップ２で算出された輝度ＹＡＧ）を、ＢＬ制御値ｂｄに変換する。第１対象領域の輝度ＹＡＧから得られたＢＬ制御値ｂｄは、第１対象領域に対応する光源のＢＬ制御値ｂｄとして設定される。本実施例では、以下の式２を用いて、ｍ行ｎ列目の分割領域に対応する光源のＢＬ制御値ｂｄｍｎが算出される。式２において、「Ｙｍａｘ」は、入力画像データが取り得る輝度値の最大値（最大輝度値）である。
ｂｄｍｎ＝ＹＡＧｍｎ÷Ｙｍａｘ  ・・・（式２）
【００２７】
なお、本実施例では、輝度値の平均値を用いて発光輝度を決定する例を説明したが、これに限らない。例えば、第１対象領域における入力画像データの他の特徴量を用いて、第１対象領域に対応する光源の発光輝度が決定されてもよい。例えば、他の特徴量として、輝度値の最大値、最小値、中間値、最頻値、ヒストグラム、等を使用することができる。他の特徴量として、画素値の最大値、最小値、中間値、最頻値、ヒストグラム、等を使用することもできる。他の特徴量として、階調値（Ｒ値、Ｇ値、及び、Ｂ値の少なくともいずれか）の最大値、最小値、中間値、最頻値、ヒストグラム、等を使用することもできる。平均値、最大値、最小値、中間値、及び、最頻値は、「代表値」と呼ぶことができる。
【００２８】
なお、発光輝度の決定方法は上記方法に限らない。例えば、分割領域とは異なる領域における入力画像データの特徴量を用いて、発光輝度が決定されてもよい。
なお、本実施例では、ＢＬ制御値ｂｄが、０〜２５５の範囲の整数であり且つ発光輝度が高いほど大きいものとするが、これに限らない。ＢＬ制御値ｂｄの取り得る値の範囲は、０〜２５５の範囲より広くても狭くてもよい。ＢＬ制御値ｂｄは発光輝度が高いほど小さくてもよい。
【００２９】
（輝度変化情報記憶部）
輝度変化情報記憶部１０４は、輝度変化情報Ｆを記憶する第２記憶部である。輝度変化情報Ｆは、光源からの光の輝度の、画面の面内方向における変化を示す情報である。例えば、輝度変化情報Ｆは、光源からの光のＸＹＺ三刺激値におけるＹ値の上記面内方向における変化を示す情報である。例えば、輝度変化情報Ｆは、光源からの光の各分割領域での輝度を表す情報である。本実施例では、分割領域毎に、その分割領域に対応する輝度変化情報Ｆとして、当該分割領域に対応する光源からの光の、各分割領域での輝度を表すテーブルが用意されている。本実施例では、ｍ行ｎ列目の分割領域に対応する輝度変化情報Ｆを、「輝度変化情報Ｆｍｎ」と記載する。また、輝度変化情報Ｆｍｎで表される輝度（ｍ行ｎ列目の分割領域に対応する光源からの光の、ｍ’行ｎ’列目の分割領域での輝度）を、「輝度Ｆｍｎｍ’ｎ’」と記載する。本実施例では、輝度Ｆｍｎｍ’ｎ’は、ｍ＝ｍ’、ｎ＝ｎ’での明るさを１とする相対値である。
【００３０】
図４に、０行０列目の分割領域に対応する光源からの光の拡散を表す輝度変化情報Ｆ００の一例を示す。０行０列目の分割領域での輝度Ｆ００００は１である。０行０列目の分割領域に対応する光源からの光は０行０列目の分割領域から遠ざかるにつれ暗くなるため、０行０列目の分割領域から遠ざかるにつれ輝度Ｆ００ｍ’ｎ’は低下する。
【００３１】
なお、輝度変化情報Ｆは上記情報（テーブル）に限らない。輝度変化情報Ｆとして関数が用意されていてもよい。分割領域間で共通の輝度変化情報Ｆが用意されていてもよい。
なお、輝度Ｆｍｎｍ’ｎ’は相対値でなくてもよい。輝度Ｆｍｎｍ’ｎ’は絶対値であ
ってもよい。絶対値である輝度Ｆｍｎｍ’ｎ’から上記相対値を算出することができる。
なお、輝度変化情報は、メーカーによって予め用意された情報であってもよいし、そうでなくてもよい。例えば、輝度変化情報は、ユーザや表示装置によって生成（作成）された情報であってもよい。
【００３２】
（色変化情報記憶部）
色変化情報記憶部１０７は、色変化情報Ｇを記憶する第１記憶部である。色変化情報Ｇは、光源からの光の色の上記面内方向における変化を示す情報である。本実施例では、色変化情報Ｇとして、第１色変化情報ＧＸと第２色編情報ＧＺが用意されている。
【００３３】
第１色変化情報ＧＸは、光源からの光のＸＹＺ三刺激値におけるＸ値の面内方向における変化を示す。例えば、第１色変化情報ＧＸは、光源からの光の各分割領域でのＸ値を表す情報である。本実施例では、分割領域毎に、その分割領域に対応する第１色変化情報ＧＸとして、当該分割領域に対応する光源からの光の、各分割領域でのＸ値を表すテーブルが用意されている。本実施例では、ｍ行ｎ列目の分割領域に対応する第１色変化情報ＧＸを、「第１色変化情報ＧＸｍｎ」と記載する。また、第１色変化情報ＧＸｍｎで表されるＸ値（ｍ行ｎ列目の分割領域に対応する光源からの光の、ｍ’行ｎ’列目の分割領域でのＸ値）を、「Ｘ値ＧＸｍｎｍ’ｎ’」と記載する。本実施例では、Ｘ値ＧＸｍｎｍ’ｎ’は、ｍ＝ｍ’、ｎ＝ｎ’でのＸ値を１とする相対値である。即ち、Ｘ値ＧＸｍｎｍ’ｎ’は、最大値が１に規格化されたＸ値である規格化Ｘ値である。
【００３４】
図６に、０行０列目の分割領域に対応する光源からの光の拡散を表す第１色変化情報ＧＸ００の一例を示す。０行０列目の分割領域でのＸ値ＧＸ００００は１である。０行０列目の分割領域に対応する光源からの光は０行０列目の分割領域から遠ざかるにつれ暗くなるため、０行０列目の分割領域から遠ざかるにつれＸ値ＧＸ００ｍ’ｎ’は低下する。
【００３５】
第２色変化情報ＧＺは、光源からの光のＸＹＺ三刺激値におけるＺ値の面内方向における変化を示す。例えば、第２色変化情報ＧＺは、光源からの光の各分割領域でのＺ値を表す情報である。本実施例では、分割領域毎に、その分割領域に対応する第２色変化情報ＧＺとして、当該分割領域に対応する光源からの光の、各分割領域でのＺ値を表すテーブルが用意されている。本実施例では、ｍ行ｎ列目の分割領域に対応する第２色変化情報ＧＺを、「第２色変化情報ＧＺｍｎ」と記載する。また、第２色変化情報ＧＺｍｎで表されるＺ値（ｍ行ｎ列目の分割領域に対応する光源からの光の、ｍ’行ｎ’列目の分割領域でのＺ値）を、「Ｚ値ＧＺｍｎｍ’ｎ’」と記載する。本実施例では、Ｚ値ＧＺｍｎｍ’ｎ’は、ｍ＝ｍ’、ｎ＝ｎ’でのＺ値を１とする相対値である。即ち、Ｚ値ＧＺｍｎｍ’ｎ’は、最大値が１に規格化されたＺ値である規格化Ｚ値である。
【００３６】
なお、色変化情報Ｇは上記情報に限らない。色変化情報Ｇとして関数が用意されていてもよい。分割領域間で共通の色変化情報Ｇが用意されていてもよい。第１色変化情報と第２色変化情報のいずれか一方のみが用意されていてもよい。色変化情報Ｇは、光源からの光のｘｙ色度座標値の面内方向における変化を示す情報であってもよい。
色変化情報Ｇは、光源からの光のｕｖ色度座標値の面内方向における変化を示す情報であってもよい。色変化情報Ｇは、光源からの光のｕ’ｖ’色度座標値の面内方向における変化を示す情報であってもよい。色変化情報Ｇは、光源からの光のａ＊ｂ＊色度座標値の面内方向における変化を示す情報であってもよい。
なお、Ｘ値ＧＸｍｎｍ’ｎ’は相対値でなくてもよい。Ｘ値ＧＸｍｎｍ’ｎ’は絶対値であってもよい。絶対値であるＸ値ＧＸｍｎｍ’ｎ’から上記相対値を算出することができる。Ｚ値ＧＺｍｎｍ’ｎ’についても同様である。
なお、色変化情報は、メーカーによって予め用意された情報であってもよいし、そうでなくてもよい。例えば、色変化情報は、ユーザや表示装置によって生成（作成）された情
報であってもよい。
【００３７】
本実施例では、分割領域毎に、色補正処理が行われる。本実施例では、色補正処理の対象である分割領域を「第２対象領域」と記載する。本実施例では、ＢＬ制御値決定部１０３で決定された各光源の発光輝度、色変化情報Ｇ、及び、輝度変化情報Ｆ、に基づいて第２対象領域における画像データの各画素の色を補正する画像色補正処理が、色補正処理として行われる。色補正処理により、第２対象領域以外の分割領域に対応する光源からの光が第２対象領域に漏れることに起因した第２対象領域の表示色の変化が低減される。
【００３８】
また、本実施例では、輝度補正処理も行われる。輝度補正処理では、ＢＬ制御値決定部１０３で決定された各光源の発光輝度と、輝度変化情報Ｆと、に基づいて、画像データの各画素の輝度が補正される。輝度補正処理により、光源からの光が他の分割領域に漏れることに起因した表示輝度の変化が低減される。
【００３９】
なお、ＢＬ制御値決定部１０３は、光源からの光が他の分割領域に漏れることに起因した表示輝度の変化が低減するように、入力画像データと輝度変化情報Ｆに基づいて、各光源の発光輝度を個別に決定してもよい。各光源の発光輝度として、光源光の漏れによる表示輝度の変化が十分に低減された発光輝度が得られる場合には、上述した輝度補正処理は行われなくてもよい。また、光源光の漏れによる表示輝度の変化を許容する場合には、光源光の漏れによる表示輝度の変化を低減しなくてもよい。
【００４０】
（ＢＬ輝度計算部）
ＢＬ輝度計算部１０５は、分割領域毎に、ＢＬ制御値決定部１０３から出力された各光源のＢＬ制御値ｂｄと、輝度変化情報Ｆと、に基づいて、対応輝度Ｔを算出する（対応輝度算出処理）。本実施例では、ｍ行ｎ列目の分割領域の対応輝度Ｔを、「対応輝度Ｔｍｎ」と記載する。対応輝度Ｔｍｎは、ＢＬ制御値決定部１０３から出力されたＢＬ制御値ｂｄで各光源を発光させた状態での、ｍ行ｎ列目の分割領域におけるバックライト１０２の発光輝度である。ＢＬ輝度計算部１０５は、各分割領域の対応輝度Ｔを、輝度補正値計算部１０６と色補正値計算部１０９に出力する。
【００４１】
対応輝度Ｔの算出方法について、図５のフローチャートを用いて説明する。図５は、対応輝度算出処理の一例を示すフローチャートである。
【００４２】
まず、ＢＬ輝度計算部１０５は、分割領域毎に、その分割領域に対応する光源のみをＢＬ制御値ｂｄで発光させた場合における各分割領域でのバックライト１０２の発光輝度Ｋを算出する（Ｓ５０１）。本実施例では、ｍ行ｎ列目の分割領域に対応する光源から発せられた光の、ｍ’行ｎ’列目の分割領域での輝度Ｋを「輝度Ｋｍｎｍ’ｎ’」と記載する。輝度Ｋｍｎｍ’ｎ’は、以下の式３を用いて算出される。
Ｋｍｎｍ’ｎ’＝Ｆｍｎｍ’ｎ’×ＢＤｍｎ  ・・・（式３）
【００４３】
式３において、「ＢＤｍｎ」は、ｍ行ｎ列目の分割領域に対応する光源のみをＢＬ制御値ｂｄｍｎで発光させた場合における、ｍ行ｎ列目の分割領域でのバックライト１０２の発光輝度である。輝度ＢＤｍｎは、「ｍ行ｎ列目の分割領域に対応する光源の発光輝度」と言うこともできる。例えば、ＢＬ制御値ｂｄｍｎと輝度ＢＤｍｎの対応関係が予め用意されており、ＢＬ制御値ｂｄｍｎから輝度ＢＤｍｎが算出される。輝度ＹＡＧｍｎやＢＬ制御値ｂｄｍｎが輝度ＢＤｍｎとして使用されてもよい。
【００４４】
次に、ＢＬ輝度計算部１０５は、Ｓ５０１で算出された輝度Ｋを用いて、分割領域毎に
、他の分割領域からの光の輝度の合計値ＳＤを算出する（Ｓ５０２）。本実施例では、ｍ行ｎ列目の分割領域の合計値ＳＤを、「合計値ＳＤｍｎ」と記載する。合計値ＳＤｍｎは、以下の式４を用いて算出される。
【数１】
2016133640.tif 000003
【００４５】
そして、ＢＬ輝度計算部１０５は、Ｓ５０１で算出された輝度Ｋと、Ｓ５０２で算出された合計値ＳＤと、を用いて、各分割領域の対応輝度Ｔを算出する（Ｓ５０３）。対応輝度Ｔｍｎは、以下の式５を用いて算出される。輝度Ｋｍｎｍｎの代わりに、輝度ＢＤｍｎが使用されてもよい。
Ｔｍｎ＝Ｋｍｎｍｎ＋ＳＤｍｎ  ・・・（式５）
【００４６】
（ＢＬ色計算部）
ＢＬ色計算部１０８は、分割領域毎に、ＢＬ制御値決定部１０３から出力された各光源のＢＬ制御値ｂｄと、色変化情報Ｇと、に基づいて、対応色Ｃを算出する（対応色算出処理）。本実施例では、対応色Ｃとして、対応色ＣのＸ値である対応Ｘ値ＣＸと、対応色ＣのＺ値である対応Ｚ値ＣＺと、が算出される。また、本実施例では、ｍ行ｎ列目の分割領域の対応Ｘ値ＣＸを「対応Ｘ値ＣＸｍｎ」と記載し、ｍ行ｎ列目の分割領域の対応Ｚ値ＣＺを「対応Ｚ値ＣＺｍｎ」と記載する。対応色Ｃｍｎは、ＢＬ制御値決定部１０３から出力されたＢＬ制御値ｂｄで各光源を発光させた状態での、ｍ行ｎ列目の分割領域におけるバックライト１０２の発光色である。対応色Ｘ値ＣＸｍｎは、ＢＬ制御値決定部１０３から出力されたＢＬ制御値ｂｄで各光源を発光させた状態での、ｍ行ｎ列目の分割領域におけるバックライト光のＸ値である。対応色Ｚ値ＣＺｍｎは、ＢＬ制御値決定部１０３から出力されたＢＬ制御値ｂｄで各光源を発光させた状態での、ｍ行ｎ列目の分割領域におけるバックライト光のＺ値である。バックライト光は、バックライト１０２から発せられた光（各光源から発せられた光を合成した合成光）である。ＢＬ色計算部１０８は、各分割領域の対応色Ｃ（対応Ｘ値ＣＸと対応Ｚ値ＣＺ）を、色補正値計算部１０９に出力する。
【００４７】
対応色Ｃの算出方法について、図７のフローチャートを用いて説明する。図７は、対応色算出処理の一例を示すフローチャートである。
【００４８】
まず、ＢＬ色計算部１０８は、光源毎に、その光源のみをＢＬ制御値ｂｄで発光させた場合における各分割領域でのバックライト光のＸ値ＸＫとＺ値ＺＫを算出する（Ｓ８０１）。本実施例では、ｍ行ｎ列目の分割領域に対応する光源から発せられた光の、ｍ’行ｎ’列目の分割領域でのＸ値ＸＫを「Ｘ値ＸＫｍｎｍ’ｎ’」と記載する。また、ｍ行ｎ列目の分割領域に対応する光源から発せられた光の、ｍ’行ｎ’列目の分割領域でのＺ値ＺＫを「Ｚ値ＺＫｍｎｍ’ｎ’」と記載する。Ｘ値ＸＫｍｎｍ’ｎ’は以下の式６を用いて算出され、Ｚ値ＺＫｍｎｍ’ｎ’は以下の式７を用いて算出される。式６に示すように、Ｘ値ＸＫｍｎｍ’ｎ’は、ｍ行ｎ列目の分割領域に対応する光源から発せられた光の規格化Ｘ値ＧＸｍｎｍ’ｎ’に発光輝度ＢＤｍｎを乗算することによって得られた重み付けＸ値である。また、式７に示すように、Ｚ値ＺＫｍｎｍ’ｎ’は、ｍ行ｎ列目の分割領域に対応する光源から発せられた光の規格化Ｚ値ＧＺｍｎｍ’ｎ’に発光輝度ＢＤｍｎを乗算することによって得られた重み付けＺ値である。
ＸＫｍｎｍ’ｎ’＝ＧＸｍｎｍ’ｎ’×ＢＤｍｎ  ・・・（式６）
ＺＫｍｎｍ’ｎ’＝ＧＺｍｎｍ’ｎ’×ＢＤｍｎ  ・・・（式７）
【００４９】
次に、ＢＬ色計算部１０８は、Ｓ８０１で算出されたＸ値ＸＫを用いて、分割領域毎に、他の分割領域からの光のＸ値の合計値ＳＸを算出する（Ｓ８０２）。また、ＢＬ色計算部１０８は、Ｓ８０１で算出されたＺ値ＺＫを用いて、分割領域毎に、他の分割領域からの光のＺ値の合計値ＳＺを算出する。本実施例では、ｍ行ｎ列目の分割領域の合計値ＳＸを「合計値ＳＸｍｎ」と記載し、ｍ行ｎ列目の分割領域の合計値ＳＺを「合計値ＳＺｍｎ」と記載する。合計値ＳＸｍｎは以下の式８を用いて算出され、合計値ＳＺｍｎは以下の式９を用いて算出される。
【数２】
2016133640.tif 000004
【００５０】
そして、ＢＬ色計算部１０８は、Ｓ８０１で算出されたＸ値ＸＫと、Ｓ８０２で算出された合計値ＳＸと、を用いて、各分割領域の対応Ｘ値ＣＸを算出する（Ｓ８０３）。また、ＢＬ色計算部１０８は、Ｓ８０１で算出されたＺ値ＺＫと、Ｓ８０２で算出された合計値ＳＺと、を用いて、各分割領域の対応Ｚ値ＣＺを算出する。対応Ｘ値ＣＸｍｎは以下の式１０を用いて算出され、対応Ｚ値ＣＺｍｎは以下の式１１を用いて算出される。式８，１０から明らかなように、対応Ｘ値ＣＸｍｎは、全ての分割領域からの光の、ｍ行ｎ列目の分割領域でのＸ値ＸＫｍ’ｎ’ｍｎの総和（第１合計値）である。また、式９，１１から明らかなように、対応Ｚ値ＣＺｍｎは、全ての分割領域からの光の、ｍ行ｎ列目の分割領域でのＺ値ＺＫｍ’ｎ’ｍｎの総和（第２合計値）である。
ＣＸｍｎ＝ＸＫｍｎｍｎ＋ＳＸｍｎ  ・・・（式１０）
ＣＺｍｎ＝ＺＫｍｎｍｎ＋ＳＺｍｎ  ・・・（式１１）
【００５１】
（輝度補正値計算部）
輝度補正値計算部１０６は、ＢＬ輝度計算部１０５から出力された各分割領域の対応輝度Ｔに基づいて、輝度補正処理で使用する補正値である輝度補正値を算出する。本実施例では、分割領域毎に、その分割領域における入力画像データの各画素値を補正する輝度補正値が算出される。本実施例では、輝度補正値として、画素値に乗算する輝度補正係数Ｕが算出される。本実施例では、ｍ行ｎ列目の分割領域の輝度補正係数Ｕを、「輝度補正係数Ｕｍｎ」と記載する。輝度補正値計算部１０６は、各分割領域の輝度補正係数Ｕを、輝度補正部１１０に出力する。
【００５２】
本実施例では、以下の式１２を用いて、輝度補正係数Ｕｍｎが算出される。式１２において、「ＢＬＹｔ」は、ＸＹＺ三刺激値におけるＹ値の基準値（基準Ｙ値）である。基準Ｙ値ＢＬＹｔは、「バックライト光の輝度の基準値」と言うこともできる。基準Ｙ値ＢＬＹｔは、例えば、各光源を同じ発光輝度で発光させる動作モードである非ローカルディミングモードが設定されているときのバックライト光の輝度である。式１２によれば、輝度Ｔｍｎが基準Ｙ値ＢＬＹｔよりも低い場合に、画素の輝度を高める輝度補正係数Ｕｍｎが算出され、輝度Ｔｍｎが基準Ｙ値ＢＬＹｔよりも高い場合に、画素の輝度を低減する輝度補正係数Ｕｍｎが算出される。
Ｕｍｎ＝ＢＬＹｔ÷Ｔｍｎ  ・・・（式１２）
【００５３】
なお、分割領域毎に基準Ｙ値ＢＬＹｔが用意されていてもよいし、複数の分割領域間で共通の１つの基準Ｙ値ＢＬＹｔが用意されていてもよい。
なお、輝度補正値の算出方法は上記方法に限らない。例えば、輝度補正値として、画素値に加算する加算値が算出されてもよい。また、各光源のＢＬ制御値ｂｄと、輝度変化情報Ｆと、に基づいて、画素毎に、その画素の位置における対応輝度が算出されてもよい。そして、画素毎に、その画素の対応輝度に基づいて当該画素の輝度補正値が算出されてもよい。
【００５４】
（輝度補正部）
輝度補正部１１０は、輝度補正値計算部１０６から出力された各分割領域の輝度補正係数Ｕを用いて、入力画像データを補正する（輝度補正処理）。具体的には、分割領域毎に、その分割領域の輝度補正係数Ｕを、当該分割領域における入力画像データの各画素値に乗算する。それにより、輝度補正処理が施された後の画像データである第１補正画像データが生成される。輝度補正部１１０は、第１補正画像データを、色補正部１１１に出力する。
【００５５】
（色補正値計算部）
色補正値計算部１０９は、ＢＬ輝度計算部１０５から出力された各分割領域の対応輝度Ｔと、ＢＬ色計算部１０８から出力された各分割領域の対応色Ｃと、を取得する。そして、色補正値計算部１０９は、各分割領域の対応輝度Ｔと対応色Ｃに基づいて、色補正処理で使用する補正値である色補正値を算出する。本実施例では、分割領域毎に、その分割領域における第１補正画像データの各画素の色（画素色）を補正する色補正値が算出される。本実施例では、色補正値として、画素色の値に乗算する色補正係数Ｖが算出される。具体的には、色補正係数Ｖとして、画素色のＸ値を補正する第１補正係数ＶＸと、画素色のＺ値に乗算する第２補正係数ＶＺと、が算出される。本実施例では、ｍ行ｎ列目の分割領域の第１補正係数ＶＸを「第１補正係数ＶＸｍｎ」と記載し、ｍ行ｎ列目の分割領域の第２補正係数ＶＺを「第２補正係数ＶＺｍｎ」と記載する。輝度補正値計算部１０６は、各分割領域の第１補正係数ＶＸと第２補正係数ＶＺを、色補正部１１１に出力する。
【００５６】
本実施例では、以下の式１３を用いて第１補正係数ＶＸｍｎが算出され、以下の式１４を用いて第２補正係数ＶＺｍｎが算出される。式１３，１４において、「ＢＬＸｔ」は、ＸＹＺ三刺激値におけるＸ値の基準値（基準Ｘ値）であり、「ＢＬＺｔ」は、ＸＹＺ三刺激値におけるＺ値の基準値（基準Ｚ値）である。基準Ｘ値ＢＬＸｔは、「バックライト光のＸ値の基準値」と言うこともでき、基準Ｚ値ＢＬＺｔは、「バックライト光のＺ値の基準値」と言うこともできる。例えば、基準Ｘ値ＢＬＸｔは、非ローカルディミングモードが設定されているときのバックライト光のＸ値であり、基準Ｚ値ＢＬＺｔは、非ローカルディミングモードが設定されているときのバックライト光のＺ値である。
ＶＸｍｎ＝（ＢＬＸｔ÷ＢＬＹｔ）÷（ＣＸｍｎ÷Ｔｍｎ）  ・・・（式１３）
ＶＺｍｎ＝（ＢＬＺｔ÷ＢＬＹｔ）÷（ＣＺｍｎ÷Ｔｍｎ）  ・・・（式１４）
【００５７】
このように、本実施例では、基準Ｙ値ＢＬＹｔに対する基準Ｘ値ＢＬＸｔの割合を、対応輝度Ｔに対する対応Ｘ値ＣＸの割合で除算することにより、第１補正係数ＶＸが算出される。そして、基準Ｙ値ＢＬＹｔに対する基準Ｚ値ＢＬＺｔの割合を、対応輝度Ｔに対する対応Ｚ値ＣＺの割合で除算することにより、第２補正係数ＶＺが算出される。
ここで、対応輝度Ｔｍｎが基準Ｙ値ＢＬＹｔと等しい場合を考える。式１３によれば、対応Ｘ値ＣＸが基準Ｘ値ＢＬＸｔよりも低い場合に、画素色のＸ値を高める第１補正係数
ＶＸｍｎが算出され、対応Ｘ値ＣＸが基準Ｘ値ＢＬＸｔよりも高い場合に、画素色のＸ値を低減する第１補正係数ＶＸｍｎが算出される。式１４によれば、対応Ｚ値ＣＺが基準Ｚ値ＢＬＺｔよりも低い場合に、画素色のＺ値を高める第２補正係数ＶＺｍｎが算出され、対応Ｚ値ＣＺが基準Ｚ値ＢＬＺｔよりも高い場合に、画素色のＺ値を低減する第２補正係数ＶＺｍｎが算出される。
【００５８】
なお、分割領域毎に基準Ｘ値ＢＬＸｔが用意されていてもよいし、複数の分割領域間で共通の１つの基準Ｘ値ＢＬＸｔが用意されていてもよい。基準Ｚ値ＢＬＺｔについても同様である。
なお、色補正値の算出方法は上記方法に限らない。例えば、色補正値として、表示色の値に加算する加算値が算出されてもよい。また、各光源のＢＬ制御値ｂｄと、輝度変化情報Ｆと、に基づいて、画素毎に、その画素の位置における対応輝度が算出されてもよい。各光源のＢＬ制御値ｂｄと、色変化情報Ｇと、に基づいて、画素毎に、その画素の位置における対応色が算出されてもよい。そして、画素毎に、その画素の対応輝度と対応色に基づいて、当該画素の色補正値が算出されてもよい。
【００５９】
（色補正部）
色補正部１１１は、色補正値計算部１０９から出力された各分割領域の色補正係数（第１補正係数ＶＸと第２補正係数ＶＹ）を用いて、輝度補正部１１０から出力された第１補正画像データを補正する（色補正処理）。具体的には、第２対象領域における第１補正画像データの画素色のＸ値が、当該Ｘ値に第２対象領域の第１補正係数ＶＸを乗算した値に補正されるように、第２対象領域における第１補正画像データの各画素値が補正される。それにより、第２対象領域における表示色のＸ値が、当該Ｘ値に第２対象領域の第１補正係数ＶＸを乗算した値に補正される。また、第２対象領域における第１補正画像データの画素色のＺ値が、当該Ｚ値に第２対象領域の第２補正係数ＶＺを乗算した値に補正されるように、第２対象領域における第１補正画像データの各画素値が補正される。それにより、第２対象領域における表示色のＺ値が、当該Ｚ値に第２対象領域の第２補正係数ＶＺを乗算した値に補正される。複数の分割領域が順番に第２対象領域として選択されながら、上記処理が繰り返し行われる。それにより、輝度補正処理と色補正処理が施された後の画像データである第２補正画像データが生成される。なお、色補正処理では、画素の輝度が維持されるように画素色が補正される。色補正部１１１は、第２補正画像データを、液晶パネル１０１に出力する。
なお、色補正処理は、輝度補正処理よりも後に行われてもよい。色補正処理と輝度補正処理の両方を実現する画像処理が行われてもよい。
【００６０】
以上述べたように、本実施例によれば、各光源の発光輝度、色変化情報、及び、輝度変化情報、に基づいて、入力画像データの各画素の色を補正する色補正処理が行われる。それにより、光源から発せられた光が他の分割領域に漏れることに起因した表示色の変化を抑制することができる。
なお、色補正処理や輝度補正処理の方法は上述した方法に限らない。光源から発せられた光が他の分割領域に漏れることに起因した表示色の変化を抑制することができれば、色補正処理はどのような処理であってもよい。光源から発せられた光が他の分割領域に漏れることに起因した表示輝度の変化を抑制することができれば、輝度補正処理はどのような処理であってもよい。
【００６１】
＜実施例２＞
以下に、本発明の実施例２に係る表示装置及びその制御方法について説明する。本実施例では、光源が発光色を変更可能な構成を有する例を説明する。
図８は、本実施例に係る表示装置の構成の一例を示すブロック図である。図８において、実施例１と同じ機能部には実施例１と同じ符号を付し、その説明は省略する。図８に示
すように、本実施例では、輝度補正部１１０から出力された第１補正画像データが、液晶パネル１０１に入力される。そして、本実施例では、色補正処理として、光源の発光色を補正する処理が行われる。
【００６２】
本実施例では、バックライト１０２の光源は、発光色が互いに異なる複数の有色発光素子を有する。具体的には、光源は、発光色が赤色であるＲ素子、発光色が緑色であるＧ素子、及び、発光色が青色であるＢ素子の３つ（３種類）の有色発光素子を有する。
【００６３】
なお、光源が有する発光素子の種類は上記３種類に限らない。例えば、光源は、発光色が黄色であるＹｅ素子を有していてもよい。
なお、光源が有する発光素子の数は３つより多くても少なくてもよい。光源が有する発光素子の数は１つであってもよい。光源が有する発光素子の数が１つである場合、光源が有する発光素子は、発光色が白色である白色素子であってもよい。光源の構成は、発光色を変更可能な構成であればどのような構成であってもよい。例えば、光源の構成は、１つの発光素子の発光色を複数のカラーフィルタを用いて変更可能な構成であってもよい。
【００６４】
また、本実施例では、ＢＬ制御値決定部１０３は、光源の発光輝度として入力画像データに基づく発光輝度が実現されるように、当該光源が有する上記３つの有色発光素子のＢＬ制御値を決定する。ここで、「光源の発光輝度」は、「光源が有する上記３つの有色発光素子から発せられた光を合成した合成光の輝度」、「光源が有する上記３つの有色発光素子の発光輝度の合成値」、等を意味する。そして、ＢＬ制御値決定部１０３は、決定した各ＢＬ制御値を、色補正部９０２、ＢＬ輝度計算部１０５、及び、ＢＬ色計算部１０８に出力する。本実施例では、Ｒ素子のＢＬ制御値を「ＢＬ制御値ｂｄ＿ｒ」と記載し、Ｇ素子のＢＬ制御値を「ＢＬ制御値ｂｄ＿ｇ」と記載し、Ｂ素子のＢＬ制御値を「ＢＬ制御値ｂｄ＿ｂ」と記載する。
【００６５】
（色補正値計算部）
色補正値計算部９０１は、ＢＬ輝度計算部１０５から出力された各分割領域の対応輝度Ｔと、ＢＬ色計算部１０８から出力された各分割領域の対応色Ｃと、に基づいて、色補正値を算出する。本実施例では、分割領域毎に、その分割領域に対応する光源の発光色を補正する色補正値が算出される。具体的には、実施例１と同様に、第１補正係数ＶＸと第２補正係数ＶＺが算出される。
【００６６】
さらに、色補正値計算部９０１は、分割領域毎に、ＸＹＺ三刺激値をＲＧＢ値に変換する変換マトリクスを用いて、その分割領域の第１補正係数ＶＸと第２補正係数ＶＺを、Ｒ補正係数ＷＲ、Ｇ補正係数ＷＧ、及び、Ｂ補正係数ＷＢに変換する。Ｒ補正係数ＷＲは、Ｒ素子の発光輝度を補正する補正値であり、ＢＬ制御値ｂｄ＿ｒに乗算する補正係数である。Ｇ補正係数ＷＧは、Ｇ素子の発光輝度を補正する補正値であり、ＢＬ制御値ｂｄ＿ｇに乗算する補正係数である。Ｂ補正係数ＷＢは、Ｂ素子の発光輝度を補正する補正値であり、ＢＬ制御値ｂｄ＿ｂに乗算する補正係数である。そして、色補正値計算部９０１は、各分割領域のＲ補正係数ＷＲ、Ｇ補正係数ＷＧ、及び、Ｂ補正係数ＷＢを、色補正部９０２に出力する。本実施例では、ｍ行ｎ列目の分割領域に対応するＲ素子のＲ補正係数ＷＲを「Ｒ補正係数ＷＲｍｎ」と記載する。ｍ行ｎ列目の分割領域に対応するＧ素子のＧ補正係数ＷＧを「Ｇ補正係数ＷＧｍｎ」と記載する。そして、ｍ行ｎ列目の分割領域に対応するＢ素子のＢ補正係数ＷＢを「Ｂ補正係数ＷＢｍｎ」と記載する。
【００６７】
本実施例では、Ｒ補正係数ＷＲｍｎ、Ｇ補正係数ＷＧｍｎ、及び、Ｂ補正係数ＷＢは、以下の式１５を用いて算出される。式１５において、９つのマトリクス係数ａＸ，ａＹ，ａＺ，ｂＸ，ｂＹ，ｂＺ，ｃＸ，ｃＹ，ｃＺを有する３行３列のマトリクスは、上述した変換マトリクスである。
【数３】
2016133640.tif 000005
【００６８】
なお、Ｒ素子の発光輝度を補正する補正値は、Ｒ補正係数ＷＲに限らない。例えば、Ｒ素子の発光輝度を補正する補正値として、ＢＬ制御値ｂｄ＿ｒに加算する加算値が算出されてもよい。Ｇ素子の発光輝度を補正する補正値、及び、Ｂ素子の発光輝度を補正する補正値についても同様である。
【００６９】
（色補正部）
色補正部９０２は、色補正値計算部１０９から出力されたＲ補正係数ＷＲ、Ｇ補正係数ＷＧ、及び、Ｂ補正係数ＷＢを用いて、ＢＬ制御値決定部１０３から出力されたＢＬ制御値を補正する（色補正処理）。具体的には、第２対象領域のＢＬ制御値ｂｄ＿ｒに第２対象領域のＲ補正係数ＷＲが乗算され、第２対象領域のＢＬ制御値ｂｄ＿ｇに第２対象領域のＧ補正係数ＷＧが乗算され、第２対象領域のＢＬ制御値ｂｄ＿ｂに第２対象領域のＢ補正係数ＷＢが乗算される。それにより、第２対象領域に対応する光源が有する各有色発光素子の発光輝度が補正され、第２対象領域に対応する光源の発光色が補正される。具体的には、第２対象領域に対応する光源の発光色のＸ値が、当該Ｘ値に第２対象領域の第１補正係数ＶＸを乗算した値に補正される。その結果、第２対象領域における表示色のＸ値が、当該Ｘ値に第２対象領域の第１補正係数ＶＸを乗算した値に補正される。また、第２対象領域に対応する光源の発光色のＺ値が、当該Ｚ値に第２対象領域の第２補正係数ＶＺを乗算した値に補正される。その結果、第２対象領域における表示色のＺ値が、当該Ｚ値に第２対象領域の第２補正係数ＶＺを乗算した値に補正される。複数の分割領域が順番に第２対象領域として選択されながら、上記処理が繰り返し行われる。
【００７０】
色補正部９０２は、色補正処理後の各ＢＬ制御値をバックライト１０２に出力する。その結果、バックライト１０２が有する各発光素子は、色補正処理後のＢＬ制御値に応じた発光輝度で発光する。
【００７１】
なお、色補正処理の方法は上記方法に限らない。例えば、Ｒ補正係数ＷＲ、Ｇ補正係数ＷＧ、及び、Ｂ補正係数ＷＢを算出せずに、第１補正係数ＶＸと第２補正係数ＶＺに基づいて光源の発光色が補正されてもよい。
【００７２】
以上述べたように、本実施例によれば、各光源の発光輝度、色変化情報、及び、輝度変化情報、に基づいて、各光源の発光色を補正する色補正処理が行われる。それにより、光源から発せられた光が他の分割領域に漏れることに起因した表示色の変化を抑制することができる。
また、色補正処理として画像データの各画素の色を補正する処理を行うと、表示輝度のダイナミックレンジや色域が低減する虞がある。本実施例では、色補正処理において、画像データの画素の色は補正されないため、表示輝度のダイナミックレンジや色域の低下を抑制することもできる。
なお、実施例１では画像データの色を補正する色補正処理の例を説明し、実施例２では光源の発光色を補正する色補正処理の例を説明したが、これに限らない。色補正処理として、画像データの色と光源の発光色との両方を補正する処理が行われてもよい。
【００７３】
＜その他の実施例＞
本発明は、上述の実施例の１以上の機能を実現するプログラムを、ネットワーク又は記憶媒体を介してシステム又は装置に供給し、そのシステム又は装置のコンピュータにおけ
る１つ以上のプロセッサーがプログラムを読出し実行する処理でも実現可能である。また、１以上の機能を実現する回路（例えば、ＡＳＩＣ）によっても実現可能である。
【符号の説明】
【００７４】
１０１：液晶パネル  １０２：バックライト  １０３：ＢＬ制御値決定部
１０４：輝度変化情報記憶部  １０５：ＢＬ輝度計算部  １０６：輝度補正値計算部
１０７：色変化情報記憶部  １０８：ＢＬ色計算部  １０９：色補正値計算部
１１０：輝度補正部  １１１：色補正部  ９０１：色補正値計算部
９０２：色補正部
【図１】
2016133640.tif 000006
【図２】
2016133640.tif 000007
【図３】
2016133640.tif 000008
【図４】
2016133640.tif 000009
【図５】
2016133640.tif 000010
【図６】
2016133640.tif 000011
【図７】
2016133640.tif 000012
【図８】
2016133640.tif 000013